(57)【要約】【課題】スキーやスノーボード等において使用される厚手の手袋を装着したままスマートフォンのタッチパネル操作を円滑に行えるようにする。【解決手段】手袋本体２の外袋６は、甲部７及び掌部８と、甲部７及び掌部８間における各指の指袋Ｂｋ（ｋ＝１〜５）を形成する部分に介在する襠部９ｋ（ｋ＝１〜５）とからなる。襠部９ｋ（ｋ＝１〜５）は、導電性素材により形成されている。このため、手袋１の指袋Ｂｋの先端部をスマートフォンＳＭのタッチパネルＴＰ上に突き立てるようにしてタッチした場合、タッチパネルＴＰ上における導電性素材の接触部分の面積が、アイコン１つ分と略同じかそれよりも小さくなり、タッチパネルＴＰ上のアイコンの選択等の誤検出が発生し難くなる。【選択図】図１
2014163023.tif 000002
【特許請求の範囲】
【請求項１】
利用者の手に装着された際に前記手の甲側及び掌側を覆うようにして対向する掌部及び甲部と、前記甲部及び前記掌部間における指袋を形成する部分に介在する襠部とを具備する手袋であって、前記襠部が導電性素材により形成されていることを特徴とする手袋。
【請求項２】
前記襠部及び前記甲部間における親指、人差指、中指、薬指、及び小指の５指の各指袋を形成する部分に襠部が介在しており、前記各指袋を形成している部分の襠布が繋がっていることを特徴とする請求項１に記載の手袋。
【請求項３】
利用者の手に装着された際に前記手を直に覆う内袋と前記内袋の外側を覆う外袋とを含む複数層構造の手袋であって、
前記外袋は、利用者の手に装着された際に前記手の甲側及び掌側を覆うようにして対向する掌部及び甲部と、前記甲部及び前記掌部間における指袋を形成する部分に介在する襠部とを具備し、前記襠部が導電性素材により形成されていることを特徴とする手袋。
【請求項４】
前記襠部及び前記甲部間における親指、人差指、中指、薬指、及び小指の５指の各指袋を形成する部分に襠部が介在しており、前記各指袋を形成している部分の襠布が繋がっていることを特徴とする請求項３に記載の手袋。
【発明の詳細な説明】
【技術分野】
【０００１】
本発明は、スマートフォン等に搭載される静電容量方式のタッチパネルの操作に好適な手袋に関する。
【背景技術】
【０００２】
この種の手袋に関わる技術を開示した文献として、特許文献１がある。特許文献１には、手袋における親指、人差指、中指、薬指、及び小指の各指部の腹側の部分に真円状の導電体を縫い付けた手袋の開示がある。ここで、静電容量式のタッチパネルは、カバー、導電膜、及びガラス基板の積層体の４隅の電極に電圧を印加して導電膜に均一な電界を発生させ、カバー上の一点が操作者の指によりタッチされたときに各電極からタッチ点を介して操作者の指に流れる電流の比を基にタッチ点を検出するものである。特許文献１の技術では、手袋の利用者はその指部の導電体を介してタッチパネルにタッチすることになるため、利用者の指がタッチパネルに触れた際におけるタッチパネルの電極から利用者の指に至る電流の流れは妨げられない。よって、特許文献１の技術によると、手袋を脱ぐことなくタッチパネルを操作することができる。
【先行技術文献】
【特許文献】
【０００３】
【特許文献１】特開２００８−９１８９６号公報
【発明の概要】
【発明が解決しようとする課題】
【０００４】
しかしながら、特許文献１の技術は、スキーやスノーボード等において使用される厚手の生地の手袋には適用し難いという問題がある。その理由は次の通りである。スキーやスノーボード等に利用される手袋では、生地が厚い分だけ指袋の横幅も太くなる。一方、スマートフォンのＧＵＩ（Graphical User Interface）をなすアイコン等は、人の指の横幅と同じかそれよりも小さなサイズになっている。このため、この種の手袋を装着したままタッチパネルのアイコン等をタッチしようとすると、指袋の導電体がアイコン１つ分よりも広い範囲に渡ってタッチパネルに接触し、タッチしたいものと別のアイコンが選択されてしまう、といった誤検出が生じ易くなる。
【０００５】
本発明は、このような課題に鑑みてなされたものであり、スキーやスノーボード等において使用される厚手の手袋を装着したままスマートフォンのタッチパネル操作を円滑に行えるようにすることを目的とする。
【０００６】
上記課題を解決するため、本発明は、利用者の手に装着された際に前記手の甲側及び掌側を覆うようにして対向する掌部及び甲部と、前記甲部及び前記掌部間における指袋を形成する部分に介在する襠部とを具備する手袋であって、前記襠部が導電性素材により形成されていることを特徴とする手袋を提供する。
【０００７】
本発明では、手袋における指袋を形成する部分の襠部が導電性素材により形成されている。このため、手袋の指袋の腹ではなく先端部をスマートフォンのタッチパネル上に突き立てるようにしてタッチした場合、タッチパネル上における導電性素材の接触部分の面積が、アイコン１つ分と略同じかそれよりも小さくなる。よって、本発明によると、導電性素材の接触部分の面積が広くなりすぎて、タッチしたいものと別のアイコンがタッチされてしまう、という誤検出が発生し難くなる。従って、本発明によると、手袋をしたままでのタッチパネルの操作が従来のものよりもやり易くなる。
【図面の簡単な説明】
【０００８】
【図１】本発明の一実施形態である手袋の正面図である。
【図２】図１の手袋の裏面図である。
【図３】図１の手袋によるタッチパネルの動作の様子を示す図である。
【発明を実施するための形態】
【０００９】
以下、図面を参照しつつ本発明の実施形態について説明する。図１は、本発明の一実施形態である手袋１Ｌ及び１Ｒの正面図である。図２は、図１における手袋１Ｌの裏面図である。図３は、手袋１Ｌ及び１Ｒを装着したままでのスマートフォンＳＭのタッチパネルＴＰの操作の要領を示す図である。
【００１０】
この手袋１Ｌ及び１Ｒは、スキーやスノーボード等を行う際に利用するものである。手袋１Ｌは、利用者の手を入れる手袋本体２Ｌの根本の開口に環状のリスト部３Ｌを縫合したものである。手袋１Ｒは、利用者の手を入れる手袋本体２Ｒの根本の開口に環状のリスト部３Ｒを縫合したものである。手袋１Ｌ及び１Ｒの手袋本体２Ｌ及び２Ｒは、利用者の手に装着された際に利用者の手を直に覆う内袋５（図２参照）と、この内袋５の外側を覆う外袋６とを含む２層構造をなしている。内袋５は、フリース生地を手と略同じ形状になるように縫製したものである。外袋６は、利用者の手に装着された際に利用者の手の甲側及び掌側を覆うようにして対向する甲部７及び掌部８と、甲部７及び掌部８間における各指の指袋Ｂｋ（ｋ＝１〜５）を形成する部分に介在する襠部９ｋ（ｋ＝１〜５）とからなる。
【００１１】
より詳細に説明すると、手袋本体２Ｌ及び２Ｒの甲部７及び掌部８は、非導電性素材である合成皮革を手の形状に合わせて裁断したものである。襠部９１は、導電性素材である導電性繊維（たとえば、スパンボンド繊維）を人の親指の太さより小さな幅で且つ親指の長さの３倍程度の長さの線状に裁断したものである。襠部９２は、導電性素材である導電性繊維を手の人差指の太さより小さな幅で且つ人差指の長さの３倍程度の長さの線状に裁断したものでものである。襠部９３は、導電性繊維を人の中指の太さより小さな幅で且つ中指の長さの２倍程度の長さの線状に裁断したものである。襠部９４は、導電性繊維を人の薬指の太さより小さな幅で且つ薬指の長さの２倍程度の長さの線状に裁断したものである。襠部９５は、導電性繊維を人の小指の太さより小さな幅で且つ小指の長さの３倍程度の長さの線状に裁断したものである。
【００１２】
手袋本体２Ｌ及び２Ｒの各々の襠部９１は、手袋本体２Ｌ及び２Ｒとリスト部３Ｌ及び３Ｒの縫合部分から親指袋Ｂ１の先端部を回って親指袋Ｂ１及び人差指袋Ｂ２間の股に達している。襠部９２は、親指袋Ｂ１の付け根における掌側の部分から人差指袋Ｂ２の先端部を回って人差指袋Ｂ２及び中指袋Ｂ３間の股に達している。襠部９３は、人差指袋Ｂ２及び中指袋Ｂ３間の股から中指袋Ｂ３の先端部を回って中指袋Ｂ３及び薬指袋Ｂ４間の股に達している。襠部９４は、中指袋Ｂ３及び薬指袋Ｂ４間の股から薬指袋Ｂ４の先端部を回って薬指袋Ｂ４及び小指指袋Ｂ５間の股に達している。襠部９５は、薬指袋Ｂ４及び子指袋Ｂ５間の股から小指袋Ｂ５の先端部を回って手袋本体２Ｌ及び２Ｒとリスト部３及び３Ｒの縫合部分に達している。
【００１３】
手袋本体２Ｌ及び２Ｒにおける襠部９ｋ（ｋ＝１〜５）の上縁は甲部７と縫合されている。手袋本体２Ｌ及び２Ｒにおける襠部９ｋ（ｋ＝１〜５）の下縁は掌部８と縫合されている。手袋本体２Ｌ及び２Ｒにおける襠部９１と襠部９２は、指袋Ｂ１及びＢ２間の股において縫合されて繋がっている。襠部９２と襠部９３は、指袋Ｂ２及びＢ３間の股において縫合されて繋がっている。襠部９３と襠部９４は、指袋Ｂ３及びＢ４間の股において縫合されて繋がっている。襠部９４と襠部９５は、指袋Ｂ４及びＢ５間の股において縫合されて繋がっている。
【００１４】
以上が、本実施形態の構成の詳細である。本実施形態によると、次の効果が得られる。
第１に、本実施形態では、手袋１Ｌ及び１Ｒにおける指袋Ｂｋ（ｋ＝１〜５）を形成する部分の襠部９ｋ（ｋ＝１〜５）が導電性素材により形成されている。このため、図３に示すように、手袋１Ｌ及び１Ｒの指袋Ｂｋ（図５の例では、指袋Ｂ２）の先端部をスマートフォンＳＭのタッチパネルＴＰ上に突き立てるようにしてタッチした場合、タッチパネルＴＰ上における導電性素材である襠部９２の接触部分の面積が、アイコン１つ分と略同じかそれよりも小さくなる。よって、本実施形態によると、導電性素材の接触部分の面積が広くなりすぎて、タッチしたいものと別のアイコンがタッチされてしまう、という誤検出が発生し難くなる。従って、本実施形態によると、手袋１Ｌ及び１ＲをしたままでのタッチパネルＴＰの操作を従来のものよりも簡単に行うことができる。
【００１５】
第２に、本実施形態では、手袋本体２Ｌ及び２Ｒにおける指袋Ｂｋ（ｋ＝１〜５）の襠部９ｋ（ｋ＝１〜５）が繋がっている。ここで、本実施形態のように、スキーやスノーボードで利用する手袋では、利用者の手を直に覆う内袋が非導電性素材（本実施形態では、フリース素材）から作られている場合が多い。このような場合、手袋を特許文献１のように指部の腹に導電体のパッチを付けたものにし、この手袋を装着したまま指部の腹でタッチパネルＴＰをタッチしたとしても、タッチパネルＴＰの電極から手袋の導電体側への電流の流れは殆ど発生しない。指袋の導電体とその中の手が電気的に繋がっていないためである。これに対し、本実形態では、導電性素材である襠部９１と襠部９２、襠部９２と襠部９３、襠部９３と襠部９４、襠部９４と襠部９５が繋がっており、導電体自体の体積は、特許文献１における指の腹部分の導電性素材に比べて十分に大きなものとなる。このため、襠部９ｋ（ｋ＝１〜５）のいずれかがタッチパネルＴＰに触れた時に、タッチパネルＴＰにおけるタッチ点検出に十分な大きさの電流が襠部９ｋ（ｋ＝１〜５）に流れる。よって、本実施形態によると、手袋１Ｌ及び１Ｒの内袋５が非導電素材からなり、襠部９ｋ（ｋ＝１〜５）が指に直に接触しない構造になっていたとしても、手袋１Ｌ及び１Ｒを脱がずにタッチパネルＴＰを操作することができる。
【００１６】
第３に、本実施形態では、手袋本体２Ｌ及び２Ｒにおける襠部９ｋ（ｋ＝１〜５）の一つ一つは同じ幅であって指の太さよりも小さな幅の線状をなしている。このため、指袋自体を導電性素材により形成したものや指袋の腹に導電性素材のパッチをつけたものよりも導電性繊維の取り都合（１枚の生地を裁断してできる襠部の数）が良くなる。また、指袋に導電性繊維を刺繍により縫い付ける、といった煩わしい作業を行わずに済む。よって、本実施形態によると、手袋１Ｌ及び１Ｒの生産工程における導電性素材の廃棄量を少なくし、生産コストを低く抑えることができる。
【００１７】
第４に、本実施形態では、襠部９ｋ（ｋ＝１〜５）にのみ導電性素材を使っているため、掌部の全体を導電性素材にした手袋に比べて手袋１個あたりの導電性素材の使用量は少なくなる。したがって、掌部の全体を導電性素材にしたものよりも手袋１個あたりの製造コストは安くなる。また、周知のように、導電性繊維などの導電性素材は、皮革などのような手袋の掌部に一般的に使われる素材よりも物を握り難い。これに対し、本実施形態では、掌部には皮革などの素材を使うことができるため、スマートフォンＳＭの扱いがより一層容易になる。
【００１８】
以上、本発明の一実施形態について説明したが、かかる実施形態に以下の変形を加えてもよい。
（１）上記実施形態では、手袋１の手袋本体２Ｌ及び２Ｒは、内袋５と外袋６の２層構造になっていた。しかし、内袋５と外袋６の間に防水性素材等からなる中袋を介挿した３層構造にしてもよい。また、内袋５と外袋６の間に中綿やダウンなどの保温材料等を介挿した３層構造にしてもよい。また、上記実施形態における手袋１を、利用者の手に装着された際に手の甲側及び掌側を覆うようにして対向する掌部８及び甲部７と、甲部７及び掌部８間における指袋Ｂｋ（ｋ＝１〜５）を形成する部分に介在する襠部９ｋ（ｋ＝１〜５）を縫合したもののみからなる一層構造にしてもよい。
【００１９】
（２）上記実施形態では、甲部７及び掌部８間における親指、人差指、中指、薬指、及び小指の５指の各指袋Ｂｋ（ｋ＝１〜５）を形成する部分に襠部９ｋ（ｋ＝１〜５）が介在しており、この襠部９ｋ（ｋ＝１〜５）の全てが導電性素材により形成されていた。しかし、襠部９ｋ（ｋ＝１〜５）のうち一部だけを導電性素材により形成してもよい。
【００２０】
（３）上記実施形態では、手袋１における甲部７及び掌部８は合成皮革を素材として形成されていた。しかし、甲部７及び掌部８を導電性を有していない他の素材（たとえば、合成樹脂や天然皮革）により形成してもよい。
【００２１】
（４）上記実施形態において、襠部９ｋ（ｋ＝１〜５）を一本のライン状の導電性繊維かから形成してもよい。
【００２２】
（５）上記実施形態では、襠部９ｋ（ｋ＝１〜５）は導電性繊維を素材として形成されていた。しかし、襠部９ｋ（ｋ＝１〜５）を他の種類の導電性素材（たとえば、樹脂の表面に導体の薄膜を形成したものや、生地に金属や炭素繊維などの無機導体を練り込んだもの）により形成してもよい。
【００２３】
（６）上記実施形態において、手袋の襠部９ｋ（ｋ＝１〜５）の全部を導電性素材にする必要はない。たとえば、襠部９ｋ（ｋ＝１〜５）における指先の部分だけに導電性繊維が縫合されていてもよい。また、襠部９ｋ（ｋ＝１〜５）における指先と指股の中間部分だけに導電性素材が縫合されていてもよい。
【符号の説明】
【００２４】
１…手袋、２…手袋本体、３…ネック部、５…内袋、６…外袋、７…甲部、８…掌部、９…襠部。
【図２】
2014163023.tif 000003
【図３】
2014163023.tif 000004
【図１】
2014163023.tif 000005
【手続補正書】
【提出日】平成25年3月5日(2013.3.5)
【手続補正１】
【補正対象書類名】特許請求の範囲
【補正対象項目名】全文
【補正方法】変更
【補正の内容】
【特許請求の範囲】
【請求項１】
利用者の手に装着された際に前記手の甲側及び掌側を覆うようにして対向する甲部及び掌部と、前記甲部及び前記掌部間における指袋を形成する部分に介在する襠部とを具備する手袋であって、前記襠部が導電性素材により形成されていることを特徴とする手袋。
【請求項２】
前記甲部及び前記掌部間における親指、人差指、中指、薬指、及び小指の５指の各指袋を形成する部分に襠部が介在しており、前記各指袋を形成している部分の襠布が繋がっていることを特徴とする請求項１に記載の手袋。
【請求項３】
利用者の手に装着された際に前記手を直に覆う内袋と前記内袋の外側を覆う外袋とを含む複数層構造の手袋であって、
前記外袋は、利用者の手に装着された際に前記手の甲側及び掌側を覆うようにして対向する甲部及び掌部と、前記甲部及び前記掌部間における指袋を形成する部分に介在する襠部とを具備し、前記襠部が導電性素材により形成されていることを特徴とする手袋。
【請求項４】
前記甲部及び前記掌部間における親指、人差指、中指、薬指、及び小指の５指の各指袋を形成する部分に襠部が介在しており、前記各指袋を形成している部分の襠布が繋がっていることを特徴とする請求項３に記載の手袋。
【手続補正書】
【提出日】平成25年6月26日(2013.6.26)
【手続補正１】
【補正対象書類名】特許請求の範囲
【補正対象項目名】全文
【補正方法】変更
【補正の内容】
【特許請求の範囲】
【請求項１】
利用者の手に装着された際に前記手を直に覆う内袋と、前記内袋の外側を覆う外袋であって、前記手の甲側及び掌側を覆うようにして対向する甲部及び掌部を有するとともに前記甲部及び前記掌部間における指袋を形成する部分に介在する襠部を有する外袋とを具備する複数層構造の手袋であって、前記内袋が非導電性素材により形成されており、前記襠部が導電性素材により形成されており、前記襠部が指に直に接触しない構造になっており、
前記甲部及び前記掌部間における親指、人差指、中指、薬指、及び小指の５指の各指袋を形成している部分の襠布が繋がっていることを特徴とする手袋。
【請求項２】
前記親指、人差指、中指、薬指、及び小指の５指の各指袋を形成する部分の襠部は線状をなしていることを特徴とする請求項１に記載の手袋。
【請求項３】
前記親指、人差指、中指、薬指、及び小指の５指の各指袋を形成する部分の襠部の一つ一つは同じ幅であって指の太さよりも小さな幅を有していることを特徴とする請求項２に記載の手袋。